(57)【要約】  衛生器具において使用される感知給水栓が提供される。感知給水栓は、給水栓外殻上に固定されるセンサと、電池区画とを有する。弁本体制御システムが、弁本体上に固定される弁制御区画を有する。給水栓外殻内にはプラグ座があり、対応するプラグは弁本体上に設置される。設置中、給水栓外殻は弁本体と整列され、プラグはプラグ座内に位置し得る。プラグ座内の電気パネルと接触するよう、プラグはバネ荷重電気ピンを備える。
2009534788.tif 000002
【特許請求の範囲】
【請求項１】
プラグと、
プラグ座と、
少なくとも１つの電気パネルと、
少なくとも１つのバネ荷重された電気ピンとを含み、
前記少なくとも１つの電気パネルは、前記プラグ又は前記プラグ座の一方の上に配置され、前記少なくとも１つの電気ピンは、前記少なくとも１つの電気パネルによって占められない前記プラグ又は前記プラグ座の他方の上に配置され、
前記プラグは、前記プラグ座内に取り外し可能に収容されるよう成形され且つ構成され、
前記プラグが前記プラグ座内のプラグ収容位置にある状態で、前記少なくとも１つの電気ピンの先端が、前記少なくとも１つの電気パネルと接触するよう配置される、
電気接続。
【請求項２】
２つのバネ荷重された電気ピンが前記プラグ内に設けられる、請求項１に記載の電気接続。
【請求項３】
前記プラグが前記プラグ座内の前記プラグ収容位置にある状態で、前記プラグ及び前記プラグ座の少なくとも一方は、前記プラグと前記プラグ座との間に配置されるシール部材を備える、請求項１に記載の電気接続。
【請求項４】
前記シール部材は、前記プラグ上に設けられる、請求項３に記載の電気接続。
【請求項５】
前記シール部材は、円形の腱部である、請求項３に記載の電気接続。
【請求項６】
前記少なくとも１つの電気パネルは、前記プラグ座上に配置され、前記少なくとも１つのバネ荷重された電気ピンは、前記プラグ上に配置される、請求項１に記載の電気接続。
【請求項７】
前記少なくとも１つの電気ピンは、前記少なくとも１つの電気ピンの長手軸に沿って移動可能である、請求項１に記載の電気接続。
【請求項８】
電気制御ボックスを有する給水栓外殻と、
ソレノイド弁を有する弁本体と、
プラグ及びプラグ座を含む第一電気接続素子及び第二電気接続素子とを含み、
前記第一電気接続素子は、前記給水栓外殻上に設けられ、前記第二電気接続素子は、前記弁本体上に設けられ、
少なくとも１つの電気パネルと、
少なくとも１つのバネ荷重された電気ピンとを含み、
前記少なくとも１つの電気パネルは、前記プラグ又は前記プラグ座の一方の上に設けられ、前記少なくとも１つの電気ピンは、前記少なくとも１つの電気パネルによって占められない前記プラグ又は前記プラグ座の他方の上に設けられ、
前記プラグは、前記プラグ座内に取り外し可能に収容されるよう成形され且つ構成され、
前記プラグが前記プラグ座内のプラグ収容位置にある状態で、前記少なくとも１つの電気ピンの先端が、前記少なくとも１つの電気パネルと接触するよう配置される、
感知給水栓。
【請求項９】
２つのバネ荷重された電気ピンが前記プラグ内に設けられる、請求項８に記載の感知給水栓。
【請求項１０】
前記プラグ及び前記プラグ座の少なくとも一方は、前記プラグが前記プラグ座内の前記プラグ収容位置にある状態で、前記プラグと前記プラグ座との間に配置されるシール部材を備える、請求項８に記載の感知給水栓。
【請求項１１】
前記シール部材は、前記プラグ上に配置される、請求項１０に記載の感知給水栓。
【請求項１２】
前記シール部材は、円形の腱部である、請求項１０に記載の感知給水栓。
【請求項１３】
前記少なくとも１つの電気パネルは、前記プラグ座上に配置され、前記少なくとも１つのバネ荷重された電気ピンは、前記プラグ上に配置される、請求項８に記載の感知給水栓。
【請求項１４】
前記給水栓外殻内に電気区画をさらに含む、請求項８に記載の感知給水栓。
【請求項１５】
前記第一電気接続素子は、前記プラグ座であり、前記第二電気接続素子は、前記プラグである、請求項８に記載の感知給水栓。
【請求項１６】
前記弁本体上での前記給水栓外殻の整列及び位置決めをもたらすよう互いに滑り係合する案内ピン及び位置決め溝をさらに含み、前記案内ピンは、前記給水栓外殻又は前記弁本体の一方の上に配置され、前記位置決め溝は、前記案内ピンによって占められない前記給水栓外殻又は前記弁本体の他方の上に配置される、請求項８に記載の感知給水栓。
【請求項１７】
前記電気制御ボックスは、運動センサを含む、請求項８に記載の感知給水栓。
【請求項１８】
前記電気制御ボックスは、近接センサを含む、請求項８に記載の感知給水栓。
【請求項１９】
前記少なくとも１つの電気ピンは、前記少なくとも１つの電気ピンの長手軸に沿って移動可能である、請求項８に記載の感知給水栓。
【発明の詳細な説明】
【技術分野】
【０００１】
浴室で使用される感知給水栓設置構造。
【背景技術】
【０００２】
公知の感知給水栓設置構造は、基本的に、２つの種類から成る。１つの種類は、電気制御ボックスと、弁本体上に直接的に設置される電池区画とを有し、それらを覆うために、給水栓外殻が使用される。そのような構造は、給水栓外殻内の空間によって大きく制約される。電池を取り外す目的のために、電池区画は、直ぐ取り外され得る位置に設置されなければならない。もし給水栓が数十ミリメートルの小さな直径に限定されるならば、適切な構造を設計することは極めて困難である。他の種類は、電気制御ボックスと、給水栓外殻上に設置される電池区画とを有し、給水栓外殻は、設置及び取外し中に電気制御ボックス及び電池区画と共に移動する。しかしながら、この種類を用いるときには、弁本体上のソレノイド弁に接続されるプラグがなければならない。プラグは、取外し中に分離されなければならない。そのような構造は、設置及び取外しのために便宜ではないかもしれない。
【発明の開示】
【発明が解決しようとする課題】
【０００３】
既存の感知給水栓設置構造の不利点を克服するために、本発明は、給水栓の外観に対して余り要求が高くないのみならず、便利な取外しをもたらす、新しい種類の給水栓構造を提供する。同時に、安定的な機能及び耐用年数を保証し得る。
【課題を解決するための手段】
【０００４】
本発明の好適な実施態様が、給水栓外殻上に設置される電気制御ボックス及び電池区画を提供し得る。コネクタが、電池区画の下方部分に設置され、プラグ座が、給水栓弁本体上に設置される。プラグは、好ましくは、内部バネを備える２つのピンを有し、ピンは、ゴムストッパ内に設置される。ピンの先端は、垂直公差が取り除かれ得るよう、押し下げられるときに引っ込み得る。給水栓外殻を設置するとき、弁本体上の２つの案内ピンは、プラグがプラグ座と整列され且つプラグ座と整列係合に向けられ得るよう、給水栓外殻上の溝と係合する。ピンは、プラグ座内部の電気パネルを直接的に押し下げ、同時に、シールを形成するために、ゴムストッパの周りに円形の腱部がある。給水栓外殻を取り外すとき、給水栓外殻は直接的に引き出され、プラグはプラグ座を自動的に切り離す。この構成は極めて便利である。
【発明を実施するための最良の形態】
【０００５】
図１において、給水栓外殻１は、弁本体８上に取り付けられて示されている。給水栓外殻１と弁本体８との正しい整列は、位置決め溝６内への案内ピン５の滑り係合によってもたらされる。プラグ４は、この設置位置において、プラグ座３内に挿入され、それらの間の電気接続をもたらす。プラグ４とプラグ座３との間の電気接続は、電力をオンオフ切換えする電気制御ボックス２によって電力が活性化されるとき、電池区画組立体１１内の電池からの電力がソレノイド弁１２を動作することを可能にする。電気制御ボックス２は、センサも含み得る。その活性化及び不活性化は、電力をオンオフ切り換える。センサは、好ましくは、運動センサ又は近接センサであり得る。
【０００６】
図２は、電池区画組立体１１、電気制御ボックス２、及び、プラグ座３が設置された状態で、給水栓外殻１部分のみの切欠き図を描写している。給水栓外殻１内にこれらの構成部品を取り外し可能に設置するために、取付けネジ９が利用され得る。
【０００７】
図３は、設置されたソレノイド弁１２及びプラグ４が設置された状態で、弁本体８部分のみを描写している。ソレノイド弁１２及びプラグ４は、電気的に接続されている。電気接続を保護するために、電線保護カバー１０が設けられ得る。これらの構成部品を弁本体８上に取り外し可能に設置するために、取付けネジ７が設けられ得る。
【０００８】
流体入口（図示せず）が、弁本体８に流体的に接続され得る。ソレノイド弁１２は弁を開閉し、出口パイプ１３への流体流の出入りを許容し或いは制限する。
【０００９】
図４は、プラグ４及びプラグ座３の断面図である。プラグ４は、長手軸方向の運動を許容するようバネ１６によってバネ荷重された少なくとも１つの電気ピン１５を有する。バネ荷重された電気ピン１５は、プラグ４がプラグ座３内に挿入されるときに、プラグ座３内の電気パネル１７との電気接触が維持されることを可能にする。
【００１０】
好適実施態様は、プラグ４が弁本体８上に取り付けられ、プラグ座３が給水栓外殻１上に取り付けられることを示しているが、プラグ４及びプラグ座３の相対的な位置は切り換えられ得る。
【００１１】
図３及び図４は、プラグ４が、プラグ４とプラグ座３との間のシール部材として働く選択的な円形の腱部１４を有するように描写している。円形の腱部は、ゴム又は類似の封止（シール）材料から作成され得る。円形の腱部１４は、プラグ４及びプラグ座３の一方又は両方の上に形成され得る。同様に、好適実施態様は、プラグ４内に電気ピン（複数の電気ピン）１５を示し、プラグ座３内に電気パネル（複数の電気パネル）１７を示しているが、電気ピン（複数の電気ピン）及び電気パネル（複数の電気パネル）は、プラグ４又はプラグ座３のいずれかの上に形成され得る。
【００１２】
本発明は、好適実施態様によって図示され且つ記載されたが、本発明は、以下の請求項に定められるような本発明の精神及び範囲から逸脱せずに、変更され得ることが理解されよう。
【図面の簡単な説明】
【００１３】
【図１】給水栓外殻の切欠きを伴う、組み立てられた感知給水栓を示す斜視図である。
【図２】給水栓外殻構成部品を切り欠いて示す斜視図である。
【図３】弁本体組立体を示す斜視図である。
【図４】プラグを示す断面図である。
【符号の説明】
【００１４】
１    給水栓外殻 (faucet shell)
２    電気制御ボックス (electric control box)
３    プラグ座 (plug seat)
４    プラグ (plug)
５    案内ピン (guide pin)
６    位置決め溝 (positioning groove)
７    取付けネジ (mounting screw)
８    弁本体 (valve body)
９    取付けネジ (mounting screw)
１０  電線保護カバー (wire protection cover)
１１  電池区画組立体 (battery compartment assembly)
１２  ソレノイド弁 (solenoid valve)
１３  出口パイプ (outlet pipe)
１４  円形の腱部 (circular tendons)
１５  電気ピン (electrical pins)
１６  バネ (springs)
１７  電気パネル (electric panel)
【図１】
2009534788.tif 000003
【図２】
2009534788.tif 000004
【図３】
2009534788.tif 000005
【図４】
2009534788.tif 000006
【国際調査報告】
2009534788.tif 000007
2009534788.tif 000008
2009534788.tif 000009